(57)【要約】【課題】本発明は、手軽に送風方向を素早く変更し、送風方向の調整にかかる時間を短縮することができる扇風機を提供することを課題とする。【解決手段】所定の低速首振りとは別に、低速より速度を高めた高速首振りを別途用意し、無線式リモートコントローラーからの無線信号の受信時間の長さを判断し、該判断により該高速首振りを発動させる。【選択図】図４
2012225336.tif 000002
【特許請求の範囲】
【請求項１】
所定の低速回転と、この低速回転より回転速度が高い高速回転が可能な首振り用モーターと、該首振り用モーターの回転速度を制御し、且つ、無線信号受信部を備えた制御装置と、該無線信号受信部に無線信号を送る無線式リモートコントローラーとを備えた扇風機において、該制御装置は、該首振り用モーターの回転数を制御するために、該無線式リモートコントローラーから発信される無線信号の受信時間を判断する判断部と、この判断部により該首振り用モーターの低速回転と高速回転それぞれのオンとオフの制御を可能とする制御部とを備えたことを特徴とする扇風機。
【請求項２】
前記制御装置は、前記無線式リモートコントローラーから発信された無線信号を受信した際に前記首振り用モーターが回転停止中の場合は該首振り用モーターの低速回転を開始し、該首振り用モーターが低速回転中の場合は該首振り用モーターの回転を停止し、且つ、該低速制御部による該首振り用モーターの制御完了後も無線信号の連続受信の有無を監視し続けることが可能な低速制御部を備えたことを特徴とする請求項１に記載の扇風機。
【請求項３】
前記制御装置は、前記無線式リモートコントローラーから発信される無線信号の連続した受信時間があらかじめ定められた時間Ａに達した時点で前記首振り用モーターの高速回転を開始させ、連続した無線信号を受信し続ける限り高速回転を維持し、該無線式リモートコントローラーから発信される無線信号の連続受信が途絶えた場合に該首振り用モーターの回転を停止する高速制御部を備えていることを特徴とする請求項１又は２に記載の扇風機。
【発明の詳細な説明】
【技術分野】
【０００１】    本発明は、扇風機、特に首振り機能を有する扇風機に関する。
【背景技術】
【０００２】    扇風機は、送風される風を直接身体に浴びることで涼しさを体感できる冷房器具である。【０００３】    そして、ほとんどの扇風機は、より広い範囲に送風するために、首振り機能を備えており、この首振り機能により送風方向を変更することができる調整機能を備えている。【０００４】    しかし、送風方向を調整作業においては、扇風機に備わったスイッチにて送風方向を調整した後にユーザーが扇風機から離れた本来の居所へ移動した際、扇風機から離れた距離にしたがって送風方向の角度誤差が大きくなるため、この調整作業において意図しない方向へ送風される状況となった場合に一度調整した送風方向を修正する際は、再び本体のそばへ移動しスイッチを操作するといった、送風方向修正作業を実施する必要があった。【０００５】    そして、前記送風方向修正作業は幾度にも及ぶこともあった。【０００６】    そのため、送風のオンならびにオフなどの基本的な機能に加え、首振り動作による送風方向の調整作業を離れたところから操作することができる無線式リモートコントローラーが付属する扇風機も数多く流通している。【０００７】    しかし、離れた場所から無線式リモートコントローラーの首振りスイッチにて送風方向の調整を開始した場合においても、例えば意図した方向とは逆方向に首振り動作が開始された場合、ユーザーの居所や希望する方向へ送風方向を決定することができるまでに最長で２０秒程度の待ち時間が必要であった。
【発明の開示】
【発明が解決しようとする課題】
【０００６】  本発明は、扇風機における送風方向の調整にかかる時間と手間の省略を目的とする。
【課題を解決するための手段】
【０００７】    請求項１に係る発明では、扇風機には、無線式リモートコントローラーから送信された無線信号を受信することができる無線信号受信部と、該無線信号の連続した受信時間を判断する判断部と、この判断部により首振り用モーターの低速回転と高速回転のそれぞれのオンとオフの制御を可能とする制御部とを備えている。【０００８】    請求項２に係る発明では、扇風機には、前記無線信号受信部が前記無線式リモートコントローラーから送信された前記無線信号受信した際に首振り動作の速度を決定する前記首振り用モーターの回転速度を低速回転域で制御する低速制御部を備えている。【０００９】    請求項３に係る発明では、扇風機には、前記無線信号受信部が前記無線式リモートコントローラーから送信された前記無線信号の連続した受信時間があらかじめ定められた時間Ａに達した時点で前記首振り用モーターの高速回転を開始させ、連続した無線信号を受信し続ける限り高速回転を維持し、前記無線式リモートコントローラーから発信される無線信号の連続受信が途絶えた場合に前記首振り用モーターの回転を停止する高速制御部を備えている。
【発明の効果】
【００１０】    扇風機の送風方向を調整する際は、首振り機能をオンにする。次に任意の送風方向になったところで該首振り機能をオフにして送風方向の決定をする。例えば、送風方向を調整した後にわずかな送風方向のズレが生じていた場合などは、同様の送風方向の調整作業を繰り返す必要があった。また、離れた場所からも送風方向の調整作業が可能な無線式リモートコントローラーが付属している場合でも、送風方向の調整作業にかかる時間を大幅に短縮する術はなかった。かかる操作は煩雑なものであった。【００１１】    この点、本発明では、無線式リモートコントローラーから送信される無線信号の連続した受信時間を制御装置の判断部にて判断し、その受信時間があらかじめ定められた時間Ａに達した時点で高速制御部による首振り用モーターを高速回転にする制御をおこなう。【００１２】    そうすることで、離れた場所やユーザーの本来の居所から送風方向の調整を実施する際にかかる時間を大幅に短縮することができる。
【発明を実施するための最良の形態】
【００１３】    本発明を実施するために最良の形態を添付図に基づいて以下に説明する。なお、図面は符号の向きに見るものとする。図１は本発明にかかる扇風機の斜視図である。図２は本発明にかかる無線式リモートコントローラーの斜視図である。以下、図１〜図２を参照して説明を行う。【００１４】    扇風機１は無線信号２と窓部品３と制御装置４と無線信号受信部５を有している。また、無線式リモートコントローラー６は操作ボタン７と無線信号送信部８を有している。扇風機１は無線式リモートコントローラー６の無線信号送信部８から送信される無線信号２は窓部品３を透過したうえで制御装置４に備えられた無線信号受信部５にて受信する。無線式リモートコントローラー６は操作ボタン７を押し続けている限り無線信号送信部８より無線信号２を連続して発信し続けることが可能である。【００１５】    また、無線信号の種類によっては、無線信号２を透過させるための窓部品３を必要としない場合、窓部品３は存在しなくとも差し支えない。【００１６】    図３は本発明にかかる扇風機の首振り機構部の斜視図である。以下、図３を参照して説明を行う。【００１７】    首振り動作部９は首振り用モーター１０とクランク１１と拘束部品１２と支柱部品１３とフレーム１４と首振り回転支柱１５とファン駆動用モーター１６を有している。【００１８】    首振り用モーター１０はフレーム１４に固定されている。【００１９】    また、フレーム１４と固定された首振り回転支柱１５は支柱部品１３を中心に回転可能な構造となっている。【００２０】    拘束部品１２はクランク１１と支柱部品１３を結ぶ様に固定され、クランク１１と支柱部品１３の固定部間の距離に変化が起きないよう連結している。【００２１】    制御装置４は無線信号受信部５にて受信した無線信号２の連続受信時間を判断し、首振り用モーター１０の回転数を低速回転または高速回転に制御することが可能である。【００２２】    制御装置４の制御により首振り用モーター１０が回転するとその動力取り出し部となるクランク１１が回転する。クランク１１の回転運動は拘束部品１２の一端と連結されているため揺動運動に変換され、クランク１１のもう一端が連結されている支柱部品１３へこの揺動運動を伝達する。次に支柱部品１３は固定保持されているため、首振り回転支柱１５を中心に首振り動作部９はある一定の角度範囲内での回転往復運動を繰り返すことになり、扇風機として首振り動作する結果となる。すなわち、首振り用モーター１０を回転させることは、首振り動作することと等しい。【００２３】    また、本発明と同様の効果を得るために、首振り用モーター１０と同様に電気的な動力元による首振り動作を実現する扇風機においては、クランク１１や拘束部品１２を使用せずにまた別の構造部品において構成されていても差し支えない。【００２４】    図４は本発明に係る扇風機の首振り動作フロー図であり、図１〜３に基づき説明をおこなう。ＳＴＸはステップ番号を示す。【００２５】    制御装置４には判断部１７を含み、判断部１７は低速制御部１８と高速制御部１９とを含む。【００２６】    以下説明において、扇風機１は送風状態であり、無線式リモートコントローラー６の信号送信部８���ら送信された無線信号２が扇風機１の制御装置４に備えられた無線信号受信部５にて受信開始された状態であることを前提で説明する。【００２７】    ＳＴ１で判断部１７は首振り用モーター１０が低速回転しているか、回転停止中かを判断する。低速回転していればＳＴ２に進み首振り用モーター１０の回転を停止し、回転停止中であればＳＴ３に進み首振り用モーター１０の回転を開始する制御を低速制御部１８がおこなう。低速制御部１８がＳＴ２もしくはＳＴ３の制御を完了すると首振り動作フローはＳＴ４へ進む。【００２８】    ＳＴ４においても判断部１７は無線信号２の受信開始よりの連続受信時間を監視し続けている。まず、無線信号２の受信開始よりの連続受信時間がある定められた時間Ａ未満で途切れた場合は、首振り動作に関する判断をＳＴ４までで打ち切る。また、もしＳＴ４において無線信号２の受信開始よりの連続受信時間がある定められた時間Ａ以上に達した際は、その時点でＳＴ５へ進み首振り用モーター１０の高速回転を開始する制御を高速制御部１９がおこなう。【００２９】    ＳＴ５の高速制御部１９による首振り用モーター１０の高速回転の開始の制御後も判断部１７は無線信号２の連続受信を引き続き監視し続けている。無線信号２の連続受信が途絶えた場合はＳＴ８へ進み、首振り用モーター１０の回転を停止し、首振り動作に関する判断をＳＴ８までで打ち切る。もしくは、無線信号２を継続して受信し続けている場合はＳＴ６へ進み、首振り用モーター１０の高速回転を高速制御部１９により維持する。【００３０】    ＳＴ６の制御完了後も判断部１７は無線信号２の連続受信を監視しつづけており、連続受信が途切れた時点でＳＴ７に進み、首振り用モーター１０の高速回転を高速制御部１９により停止し、判断部１７は無線信号２の連続受信に関する判断を終了し、また次の無線信号２の受信開始に備える。【００３１】    首振りモーター１０の回転数は、低速回転と高速回転の２段階のみに限らず超高速回転を用意した３段階、もしくはそれ以上の回転段階を備えることも可能である。例えば、首振り用モーター１０の回転数を３段階設ける場合は、ＳＴ４からＳＴ５へ進む際の判断基準である無線信号２の連続受信時間をあらかじめ定められた時間Ａに加え、時間Ａ＋αの時間とした時間Ｂを用意することで３段階目の超高速回転の制御も可能となり、それ以上の首振り用モーター１０の回転数の段階を設ける場合も同様の対処で実現可能である。【００３２】    低速回転に対する高速回転の回転数比率は１．１倍以上より大きい任意の回転数を設定可能することができる。
【産業上の利用可能性】
【００３３】    本発明は、無線式リモートコントローラーと首振り機能を備え、該首振り機能のための駆動用モーターを搭載している扇風機に好適である。
【図面の簡単な説明】
【００３４】
【図１】本発明に係る扇風機本体の斜視図
【図２】本発明に係る扇風機に対応した無線式リモートコントローラーの斜視図
【図３】本発明に係る扇風機の首振り動作部の部品構成図
【図４】本発明に係る扇風機の首振り動作フロー図
【符号の説明】１…扇風機、２…無線信号、３…窓部品、４…制御装置、５…無線信号受信部、６…無線式リモートコントローラー、７…操作ボタン、８…無線信号送信部、９…首振り動作部、１０…首振り用モーター、１１…クランク、１２…高速部品、１３…支柱部品、１４…フレーム、１５…首振り回転支柱、１６…ファン駆動用モーター、１７…判断部、１８…低速制御部、１９…高速制御部
【図１】
2012225336.tif 000003
【図２】
2012225336.tif 000004
【図３】
2012225336.tif 000005
【図４】
2012225336.tif 000006